(57)【要約】【課題】単体としても使用でき、オムツの内側で、オムツと同時に使用した場合でも、吸収量を超えた排泄液体を脇へ漏らしにくくして、オムツから漏れ出さないようにした、失禁パッドを提供すること。【解決手段】全体が一方向に長い形状を有しており、液体の透過を防止するバックシート２２と、身体に接触する面側に配置される液体透過性の表面材２５と、前記バックシートと前記表面材との間に配置されて前記表面材を透過した液体を吸収して保持する吸収体２４とを有しており、前記バックシートが、前記吸収体を露出する開口を形成するための開口形成手段４０を備える。【選択図】図１
2006297124.tif 000002
【特許請求の範囲】
【請求項１】
全体が一方向に長い形状を有しており、
液体の透過を防止するバックシートと、
身体に接触する面側に配置される液体透過性の表面材と、
前記バックシートと前記表面材との間に配置されて前記表面材を透過した液体を吸収して保持する吸収体と
を有しており、
前記バックシートが、前記吸収体を露出する開口を形成するための開口形成手段を
を備えることを特徴とする、失禁パッド。
【請求項２】
前記開口形成手段が、前記バックシートの長手方向に関して、ほぼ中央の領域に形成されていることを特徴とする、請求項１に記載の失禁パッド。
【請求項３】
前記開口形成手段が、前記バックシートの長手方向に関して、ほぼ中央の領域であって、僅かに後ろよりに形成されていることを特徴とする、請求項１に記載の失禁パッド。
【請求項４】
前記開口形成手段が、前記バックシートの長手方向に関して、ほぼ中央の領域であって、吸収体の短手方向両端付近に開口が形成されるように設けられていることを特徴とする、請求項２に記載の失禁パッド。
【請求項５】
少なくとも前記開口形成手段が設けられる領域の前記バックシートと前記吸収体との間には、透水性カバー部材が配置されることを特徴とする、請求項１ないし４のいずれかに記載の失禁パッド。
【請求項６】
前記透水性カバー部材が、前記開口形成手段が設けられる領域にだけ配置され、かつ前記バックシートに固定されていることを特徴とする、請求項５に記載の失禁パッド。
【請求項７】
前記開口形成手段が、前記バックシートに接着される剥離用シートを有しており、この剥離用シートの前記バックシートに対する接着箇所の一部が、前記バックシートの破断強度よりも強い接着強度を備えることを特徴とする、請求項１ないし６のいずれかに記載の失禁パッド。
【請求項８】
前記バックシートの前記開口に対応して破断の際に応力が集中しやすいように構成された破断案内部を備えることを特徴とする、請求項７に記載の失禁パッド。
【請求項９】
前記破断案内部が、バックシートに設けられ、破断する領域を区画するように設けた、ひとつもしくは複数の貫通しない孔で構成されていることを特徴とする、請求項８に記載の失禁パッド。
【請求項１０】
前記バックシートの前記開口周縁部であって、少なくとも、前記剥離用シートが剥離される際の剥離方向端部が、前記吸収体または前記透水性カバー部材に接着されていることを特徴とする、請求項８に記載の失禁パッド。
【請求項１１】
前記バックシートが前記剥離用シートの剥離方向に沿って延伸された材料もしくは、二軸延伸材料の場合には、剥離方向に沿った方向に強く延伸された材料により形成されていることを特徴とする、請求項７ないし１０のいずれかに記載の失禁パッド。
【請求項１２】
予め前記バックシートに開口が形成されており、前記剥離用シートが防水性の材料で形成されて前記バックシートに接着されており、前記剥離用シートの前記接着部が防水処理されていることを特徴とする、請求項１いし６のいずれかに記載の失禁パッド。
【請求項１３】
前記バックシートが、外部に露出する側に設けられた防水層と、この防水層の内側に設けられた透水層との少なくとも２層の材料により形成されており、前記防水層が透水層から剥離可能に接着されることにより、前記開口形成手段を構成するようにしたことを特徴とする、請求項１に記載の失禁パッド。
【発明の詳細な説明】
【技術分野】
【０００１】
本発明は、たとえば使い捨てのオムツとともに、あるいは単独で使用され、尿などの体液を吸収保持するための失禁パッド（「尿とりパッド」を含む）に関するものである。
【背景技術】
【０００２】
例えば従来の失禁パッドは次のように構成されている。
一般に、失禁パッドは、尿漏れの心配がある使用者が、日常の生活，すなわち、ひるま起きて行動している時間帯や、夜の就寝中に下半身に装着して使用する。
このため、失禁パッドは、使用者が装着したときに外面となる箇所には、液体不透過性のシート材が適用され、その内側には尿等の液体を吸収するための吸収材が配置されている。
【０００３】
図８は、従来の失禁パッドを示している。この失禁パッド１は、主として、紙オムツや、下着の内側に介装されることで、使用者が装着した状態において、使用者の排泄器官を覆うことができるように、前後に長い形状になっている。
この失禁パッド１の外面となる箇所には、液体不透過性のバックシート２が用いられている。バックシート２の内側には、尿等の液体を吸収するための吸収体４が収容されている。吸収体４のさらに内側には、表面材５が配置されている。この表面材５は、液体を通過する材質で作られている。表面材５とバックシート２は、外周部では、重ねて配置されており、表面材５の内側には、２つの立体ギャザー部６，６が設けられている。立体ギャザー部６の外側には股ギャザー部７が設けられている。この立体ギャザー部６や股ギャザー部７は、失禁パッド１を使用者が装着した時に、使用者の股を包囲するようにして、尿等の液体が失禁パッド１の外部に流れないようにして、下着等を汚してしまうのを防止している。
【０００４】
このため、失禁パッド１は、図８において、前後に長い形状を有しており、立体ギャザー部６及び股ギャザー部７が、装着状態において、使用者の股下に位置し、一端部８が身体の後面側に位置して、臀部の下部領域を覆い、他端部９が身体の前面側に位置して、前側の排泄器官や生殖器周辺を覆うようになっている。そして、失禁パッド１の外面１２には、剥離紙１３を剥離すると露出するようにされたズレ防止用の接着部１１が形成されており、この接着部１１により、紙オムツや下着の内面に仮固定できるようになっている。
【０００５】
ところで、上述のような、失禁パッド１は、例えば、失禁等の対策として、上述したように、紙オムツや下着の内側に介装して、失禁パッド１単体で使用される他に、次のように使用される場合もある。
例えば、介護等の現場においては、特に、夜間に、紙オムツを装着して寝る被介護者のオムツを頻繁に交換することは、人手の制限や被介護者が就寝中であること等の理由で比較的困難である。このため、オムツ（図示せず）の内側に、上述した交換しやすい失禁パッド１をさらに重ねておき、被介護者の就寝後は、この失禁パッド１と紙オムツの吸収力により、オムツや失禁パッド１を朝まで交換することなく、使用することができる。ここで、このようなオムツの吸収力を補うための失禁パッドを特に尿とりパッドと呼ぶこともある。
【発明の開示】
【発明が解決しようとする課題】
【０００６】
しかしながら、このような介護の現場におけるオムツとの同時使用の際には、次のような問題がある。
上述のように、紙オムツの内側に失禁パッド１を装着して、被介護者が就寝後に排尿を行った場合に、排尿の量や回数が多いと、失禁パッド１の吸収量を超えてまい、あふれる場合がある。
【０００７】
すなわち、失禁パッド１は、紙オムツと比べると、小型に形成されており、吸収体の量も少なく、吸収できる容量がすくない。また、失禁パッド１は外側に防水性のバックート２を有するため、排出された尿が失禁パッド１の直下の紙オムツへ浸透せずに、立体ギャザー６や股ギャザー７の隙間を伝わって、脇から漏れてしまい、そのまま紙オムツの吸収部に尿が伝わらず、紙オムツの股部から脇のほうへ漏れてしまうという問題がある。
特に、昼間は頻繁に失禁パッド１を交換できるため、交換作業の軽減になることから、失禁パッド１を使用する価値があるが、夜間は交換が難しく、上述のような漏れも発生しやすかった。
【０００８】
そこで、本発明は、単体としても使用でき、オムツの内側で、オムツと同時に使用した場合に、吸収量を超えた排泄液体をオムツの吸収体に吸収させることで脇へ漏らしにくくして、オムツから漏れ出さないようにした、失禁パッドを提供することを目的としている。
【課題を解決するための手段】
【０００９】
上記目的は、請求項１の発明によれば、全体が一方向に長い形状を有しており、液体の透過を防止するバックシートと、身体に接触する面側に配置される液体透過性の表面材と、前記バックシートと前記表面材との間に配置されて前記表面材を透過した液体を吸収して保持する吸収体とを有しており、前記バックシートが、前記吸収体を露出する開口を形成するための開口形成手段を備える、失禁パッドにより、達成される。
【００１０】
請求項１の構成によれば、本発明の失禁パッドは、複数のシート状材料を積層固着して一方向に長い基本形状を有している。前記バックシートは液体の透過を防止する。前記表面材は身体に接触する面側に配置される液体透過性のものである。前記吸収体はバックシートと表面材の間に配置されて表面材を透過した液体を吸収して保持する。
この構成の特徴部分である開口形成手段は、液体不透過性のバックシートに対して、必要に応じて開口を形成することができるものである。すなわち、通常は、バックシートには開口は形成されておらず、使用者の必要に応じて、その操作に基づいて開口を形作る手段が設けられている。
これにより、失禁パッドを単体として使用する場合には、バックシートには開口が形成されておらず、尿等の体液が排出された場合には、その液体が失禁パッドの前記吸収体により保持され、バックシートから外部に出ることが阻止される。
【００１１】
一方、失禁パッドを紙オムツ等のオムツの内側に介装してオムツと共に使用する場合には、前記開口形成手段を操作して、バックシートに予め開口を形成しておく。これにより、例えば、多量の尿が排出されて、失禁パッドの吸収量を超えた場合においても、失禁パッドの吸収体で保持しきれなかった尿は、前記開口から、直下の紙オムツの表面材を透過して吸収される。これにより、失禁パッドに吸収しきれなった尿が、その脇から漏れ出ることが有効に防止される。
尚、本発明における「失禁パッド」は、請求項１の構成を備えていて、人体から排出される体液等を吸収することを用途とするあらゆる吸収性製品を指すものであり、名称の如何を問わない。例えば、本発明における「失禁パッド」は、軽失禁対策として、下着の内側等に仮固定して、使用される失禁パッドはもとより、紙オムツの内側に配置されて、あるいは、単独で使用されるパッドとしての尿とりパッド等も含むものである。
【００１２】
請求項２の発明は、請求項１の構成において、前記開口形成手段が、前記バックシートの長手方向に関して、ほぼ中央の領域に形成されていることを特徴とする。
請求項２の構成によれば、一方向に長い形態でなる失禁パッドにおいて、そのバックシートの長手方向に関して、ほぼ中央の領域に形成されていることにより、人体の尿等が排出される排出器官の近くに開口を形成することができるので、最も尿等が漏れやすい箇所に開口を設けることができる。
【００１３】
請求項３の発明は、請求項１の構成において、前記開口形成手段が、前記バックシートの長手方向に関して、ほぼ中央の領域であって、僅かに後ろよりに形成されていることを特徴とする。
請求項３の構成によれば、一方向に長い形態でなる失禁パッドにおいて、そのバックシートの長手方向に関して、ほぼ中央の領域の僅かに後ろよりに形成されていることにより、装着者が寝た状態において、排尿等があった場合に、背中方向へ漏れる前に開口からオムツ側に吸収され、背中にまわることを有効に防止することができる。
【００１４】
請求項４の発明は、請求項２の構成において、前記開口形成手段が、前記バックシートの長手方向に関して、ほぼ中央の領域であって、吸収体の短手方向両端付近に開口が形成されるように設けられていることを特徴とする。
請求項４の構成によれば、失禁パッドの尿等がもれやすい股部に対応した位置に開口を形成することができるので、失禁パッドに尿が吸収できなくなるまで吸収し、股部から漏れる直前に、開口からオムツ側に尿が流れるため、失禁パッドの吸収量を十分にいかすことができ、特に、失禁パッドの脇から尿等が漏れて、これが、オムツの股部から漏れ出ることを、有効に防止することができる。
【００１５】
請求項５の発明は、請求項１ないし４のいずれかの構成において、少なくとも前記開口形成手段が設けられる領域の前記バックシートと前記吸収体との間には、透水性カバー部材が配置されることを特徴とする。
請求項５の構成によれば、前記開口形成手段が設けられる領域の前記バックシートと前記吸収体との間には、透水性カバー部材が配置されている。バックシートよりも内側の吸収体には、吸収性ポリマー等が慣用されており、前記開口を形成したことにともない、これらポリマー等の内部収容物が前記透水性カバー部材により遮蔽されて、開口から外に漏れることを防止することができる。
【００１６】
請求項６の発明は、請求項５の構成において、前記透水性カバー部材が、前記開口形成手段が設けられる領域にだけ配置され、かつ前記バックシートに固定されていることを特徴とする。
請求項６の構成によれば、前記透水性カバー部材を配置する領域を開口形成手段が設けられる領域に限定することにより、材料の節約をはかることができる。
【００１７】
請求項７の発明は、請求項１ないし６のいずれかの構成において、前記開口形成手段が、前記バックシートに接着される剥離用シートを有しており、この剥離用シートの前記バックシートに対する接着箇所の一部が、前記バックシートの破断強度よりも強い接着強度を備えることを特徴とする。
請求項７の構成によれば、前記開口形成手段が剥離用シートとして形成されるか、もしくは剥離用シートを含んでいる場合には、この剥離用シートを剥がすだけで開口が形成されるので簡便である。
しかも、この剥離用シートのバックシートに対する接着箇所の一部が、前記バックシートの破断強度よりも強い接着強度を備えるようにしているので、剥離方向に沿って、剥離用シートを引っ張ると、バックシートとの接着箇所で、接着されたバックシートが破断されて、簡単に取り去ることができる。
【００１８】
請求項８の発明は、請求項７の構成において、前記バックシートの前記開口に対応して破断の際に応力が集中しやすいように構成された破断案内部を備えることを特徴とする。
請求項８の構成によれば、剥離用シートの前記開口に対応して応力が集中しやすいようにした破断案内部を設けることで、バックシートが容易に破け、残る部分に影響を残さず、剥離用シートを一層簡単に取り去ることができる。
【００１９】
請求項９の発明は、請求項８の構成において、前記破断案内部が、バックシートに設けられ、破断する領域を区画するように設けた、ひとつもしくは複数の貫通しない孔で構成されていることを特徴とする。
請求項９の構成によれば、前記破断案内部は、バックシートの破断する領域を区画するように設けた孔もしくは溝で形成することで、この孔に沿って、容易に破断される。
しかも、この破断案内部の孔もしくは溝は、バックシートを貫通していないので、失禁パッドを単体で使用する場合に、吸収体が吸収した液体が外に漏れることがない。
【００２０】
請求項１０の発明は、請求項８の構成において、前記バックシートの前記開口周縁部であって、少なくとも、前記剥離用シートが剥離される際の剥離方向端部が、前記吸収体または前記透水性カバー部材に接着されていることを特徴とする。
請求項１０の構成によれば、剥離用シートが剥離される際のバックシートのの剥離方向端部が、前記吸収体または前記透水性カバー部材に接着されているので、剥離用シートを取り去るときに、剥離用シートに、破断案内部を越えて、ついていってしまう事を防ぎ、バックーシートを破損することがない。
【００２１】
請求項１１の発明は、請求項７ないし１０のいずれかの構成において、前記バックシートが前記剥離用シートの剥離方向に沿って延伸された材料もしくは、二軸延伸材料の場合には、剥離方向に沿った方向に強く延伸された材料により形成されていることを特徴とする。
請求項１１の構成によれば、前記バックシートが前記剥離用シートの剥離方向に沿って延伸された材料もしくは、二軸延伸材料の場合には、剥離方向に沿った方向に強く延伸された材料とすることで、剥離用シートを取り去るときに、つれ破りしにくくすることができる。
【００２２】
請求項１２の発明は、請求項１ないし６のいずれかの構成において、予め前記バックシートに開口が形成されており、前記剥離用シートが防水性の材料で形成されて前記バックシートに接着されており、前記剥離用シートの前記接着部が防水処理されていることを特徴とする。
請求項１２の構成によれば、剥離用シートの前記接着部が防水処理されていることで、バックシートにあらかじめ開口が形成されていても、失禁パッドを単体で使用した際に、接着部から液体が漏れ出ることを防止することができる。
【００２３】
請求項１３の発明は、請求項１の構成において、前記バックシートが、外部に露出する側に設けられた防水層と、この防水層の内側に設けられた透水層との少なくとも２層の材料により形成されており、前記防水層が透水層から剥離可能に接着されることにより、前記開口形成手段を構成するようにしたことを特徴とする。
請求項１３の構成によれば、防水層が除去されると、透水層が露出する。これにより、オムツ等と組み合わせて使用する際に、透水層から液体をオムツ側へ排出することができる。ここで、「防水層が透水層から剥離可能に接着される」とは、防水層を剥がす際に、透水層が実質的に破壊されない程度の接着剥離強度で接着されることを意味する。
【発明の効果】
【００２４】
以上説明したように、本発明によれば、単体としても使用でき、オムツの内側で、オムツと同時に使用した場合に、吸収量を超えた排泄液体をオムツの吸収体に吸収させることで脇へ漏らしにくくして、オムツから漏れ出さないようにした、失禁パッドを提供することができる。
【発明の実施するための最良の形態】
【００２５】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２６】
図１及び図２は、本発明の第１の実施形態に係る失禁パッドを示しており、この失禁パッド２０は、立体的に表した場合には、図８で説明した失禁パッド１とほぼ同様の形態でなるものである。
図１は、失禁パッド２０の概略平面図、図２は、図１のＡ−Ａ線概略断面図である。
図１において、「前」と表示されている方が装着時に身体の前面側となる。また、図１は、失禁パッド２０の外側，すなわちバックシート側を手前にして描かれている。
【００２７】
図１及び図２において、失禁パッド２０は、バックシート２２、吸収体２４、表面材２５、左右の立体ギャザー部２６、左右の股ギャザー部２７を有している。左右の立体ギャザー部２６，２６は、図１においては紙面の背後に向かって直立しているので、表れない。
バックシート２２は、外側のシート材であり、液体の透過を防止する材質により作られている。バックシート２２の材質としては、たとえば薄いプラスチックフィルム、具体的には、ポリエチレンフィルムやポリエチレンラミネート紙等が使用できる。バックシート２２は液体は通さないが好ましくは水蒸気を透過させて蒸れを防止でき、ある程度可撓性を備えている材質を選択する。これにより失禁パッド２０の内側の内容物（汚物である固形物や尿、血液等）が外側に漏れ出ないようになっている。
【００２８】
吸収体２４は、バックシート２２と表面材２５の間に配置して収容されるものであり、ティシュや吸収保持層にて構成されており、液体等を吸収して保持するための部分である。
ティッシュは、液体等を吸収する柔らかい材質、たとえばパルプ（バージンパルプ、古紙再生パルプ）、レーヨン、コットン、ケナフ、バガス、シルク、親水処理をした繊維（ポリオレフィン系、ポリエステル、アクリル）などを単一又は複合してシート化したものを用いることができる。
吸収保持層は、表面材２５のセンター表面材２８を透過した液体成分を吸収して保持する役割を果たす。従って液体吸収性に優れる材質のものであれば使用することができ、このような吸収体２４の材質としては、たとえばパルプに吸収材であるポリマーを混合したりパルプにポリマーを散布したりして形成するパルプ吸収体もしくはポリマー等が好ましい。ここでパルプは、たとえば木材を機械的または化学的に処理して、抽出したセルロース繊維の集合体であり、これをシート状にしたものが用いられる。また、ここでは、吸収体２４を一枚のシートして構成しているが、ティッシュで吸収保持層を覆うように形成してもよく、複数の吸収体２４を積層してもよい。
【００２９】
表面材２５は、センター表面材２８と２つのサイド表面材２９，３０を有している。センター表面材２８は、吸収体２４やバックシート２２に対して長手方向Ｌ（図１参照）に沿って接着剤により固定される部分であり、センター表面材２８は直接使用者の肌に触れるものであるから、肌を必要以上に損なうことなく肌触りの良い点を考慮してこれに適した材料が選択される。センター表面材２８は内側のシートもしくはトップシート等とも呼んでおり、液体を透過させ特に速やかに液体成分が透過されるのに適した材質の繊維として、たとえば種々の天然繊維、合成繊維あるいはこれらの組み合わせから選択できる。たとえば合成繊維としては一例としてポリエステルやポリプロピレンのファイバーを素材として液体透過性をよくするように形成した繊維が好ましい。
【００３０】
サイド表面材２９，３０は、センター表面材２８の長手方向Ｌに沿って、センター表面材２８の両側に配置されている。センター表面材２８が液体を透過させることができるのに対して、サイド表面材２９，３０は液体の透過を防止する材質で作られている。例えば、センター表面材２８が不織布で作られる場合には、例えば、湿式不織布（紙、ティッシュ、ハイドロスパン（デクスター社）、ケミカルボンド（又はレジンボンド）、サーマルボンド（エンボス、アンビル、エアスルー）、エアレイド、スパンレース、スパンボンド、メルトブローン、ニードルパンチ、ステッチボンド、そしてスパンボンドとメルトブローン不織布を複合して作られたＳＭ不織布（スパンボンドとメルトブローンの積層体）、ＳＭＳ不織布（スパンボンドとメルトブローンとスパンボンドの積層体）等が採用できる。この中ではセンター表面材２８の材質としては、特にサーマルボンド、スパンボンド、スパンレースが好ましい。
また、サイド表面材２９，３０の材質としては、たとえばポリオレフィン系不織布あるいはポリエステル系不織布と薄いプラスチックフィルムとを組み合わせたもの、ポリエステル系不織布等とポリエチレンフィルム等を組み合わせたもの、ＳＭ不織布、ＳＭＳ不織布等が採用できる。
【００３１】
左右の立体ギャザー部２６，２６は、それぞれサイド表面材２９，３０の少なくとも長手方向の中央部に弾性体５５を配置することで形成されている。この立体ギャザー部２６は、図示例ではサイド表面材３０の少くとも長手方向Ｌの中央部に弾性体を配置することで形成されている。
この立体ギャザー部２６を形成するために、線状の弾性体５５がサイド表面材２９あるいはサイド表面材３０の少なくとも中央部分において長手方向Ｌに沿って収容されている。この弾性体５５の弾性収縮能力により、図２の矢印に示すように、サイド表面材２９，３０の少くとも中央部に立体ギャザー部２６が起立するようになっている。この立体ギャザー部２６を形成することにより、使用者の排泄物もしくは液体成分が失禁パッド２０の短手方向Ｔに沿って外側に漏れ出さないように使用者の身体に密着して阻止する。
股ギャザー部２７は、立体ギャザー部２６と協働して、失禁パッド２０の股にあたる短手方向両端部を弾性体５５の弾性力で引くことで、使用者の股へのフィット性を高め、使用者の排泄物もしくは液体成分が股部から漏れる事を防ぐ。
【００３２】
さらに、サイド表面材２９，３０の構造を、図２を利用して詳細に説明する。
図２において、サイド表面材２９とサイド表面材３０は、それぞれ立体ギャザー部２６を形成するための弾性体５５を収容している。この弾性体５５は、サイド表面材２９と３０の内端５４を折り曲げて袋状にすることにより収容している。内端５４はサイド表面材２９，３０に対して、例えば、ヒートシールを用いて一体的に固定している。弾性体５５はたとえば線状の弾性材料、具体的にはゴムやフィルム状とされたエラストマー等により作られていて、サイド表面材２９，３０の袋状部分の中に収容されている。
なお、バックシート、サイド表面材等の別部材の接触部は、例えば、基本的にホットメルトにより接着されているが図面の簡単化のために表示を省略している。
【００３３】
図１に示されているように、失禁パッド２０の長手方向の両端付近には、バックシート２２上にズレ防止用剥離紙３１，３２が貼られている。この各剥離紙３１，３２を剥がすと、下に接着剤を用いた仮固定部が露出し、各仮固定部は使用者の下着の内面に仮固定されることで、失禁パッド２０が位置ズレないようになっている。
【００３４】
さらに、本実施形態においては、図１において、失禁パッド２０の長手方向Ｌに関して、中央の領域，図示の場合には、中央よりもやや後ろに位置する箇所に、開口形成手段４０が設けられている。この開口形成手段４０を後述のように操作することで、その下に位置するバックシート２２に設けられて開口４１が露出するようになっている。
この開口形成手段４０については、さらに詳しく後述する。
【００３５】
図３は、失禁パッド２０をオムツに重ねて使用する様子を示す概略断面図である。この場合、オムツは、例えば紙オムツ５０が使用されている。
紙オムツ５０は、失禁パッド２０よりも大きいが、失禁パッド２０とほぼ同様の構成のものが利用できる。
すなわち、紙オムツ５０は、バックシート５２、吸収体５３、表面材５５、左右の立体ギャザー部５６，５６、左右の股ギャザー部５７，５７を有している。
そして、失禁パッド２０は、上述した開口形成手段４０により開口４１を露出させて、図示のように、開口４１をオムツ５０のセンター表面材５８と対向するようにして載置される。この場合、図１で説明した失禁パッド２０のズレ防止用剥離紙３１，３２を剥がして、オムツ５０の表面材２８に固定してもよい。
【００３６】
これにより、後述するように、使用者が排出した多量の尿等の排泄液体は、失禁パッド２０を介して、その吸収体２４を透過し、開口４１から、オムツ５０の吸収体５３に吸収されるようなっている。この点については、詳しく後で述べる。
【００３７】
図４は、開口形成手段４０の構成を説明するための拡大斜視図であり、図４と図２を参照しながら、開口形成手段４０について、詳しく説明する。
開口形成手段４０は、バックシート２２の外面に開口４１を形成するためのものであり、失禁パッド２０を単独で使用する場合には、閉じられている。
そして、図３で説明したように、失禁パッド２０が、オムツ５０に重ねて使用される場合には、開口４１を露出するようにされる。
【００３８】
具体的には、図４で示すように、開口４１に対応して、バックシート２２の開口４１を区画するように、破断案内部４４が形成されている。破断案内部４４は、開口形成手段４０が開口４１を形成しようとするときに、応力が集中する箇所である。つまり、この破断案内部４４は、バックシート２２の一部を切り取って開口４１を形成しやすくする手段であり、本実施形態では、開口４１にそって、孔が連続して形成されている。つまり、破断案内部４４は、例えば、図示のような楕円もしくは長円状に、ミシン目のように配置される多数の孔が形成されることで設けられている。ただし、この場合、図２に示されているように、連続する各孔は、ミシン目のように、バックシートを貫通せずに、孔の底がある状態とされている。したがって、この孔は、開口４１に沿って連続させるとひと続きの溝のような形態とされてもよい。つまり、この孔は、バックシートに形成され、バックシートを貫通しない孔もしくは溝のような形態である。これにより、失禁パッド２０を単独で使用して、開口４１を形成しない場合には、吸収体２４から、この孔を介して液体が外部に漏れで出ないようになっている。
【００３９】
また、開口４１の裏側に位置する箇所には、バックシート２２と吸収体２４との間に、透水性のカバー部材４３が、吸収体２４またはバックシート２２に接着されて配置されている。この透水性のカバー部材は、液体を透過するが、吸収体２４側から、例えば、吸収性ポリマー等が外部に出てくることを阻止するためのもので、このような機能を備えるものであればいかなる形態のものでもよく、特に開口４１周辺に限らず、バックシート２２と吸収体２４の間の全面に設けられていてもよい。透水性のカバー部材としては、この実施形態の場合、透水シート４３が使用されている。この透水シート４３としては、センター表面材と同様の材料を用いることができる。
【００４０】
さらに、開口形成手段４０は、バックシート２２の外側から、開口４１を覆うように貼られた剥離用シート４２を有している。剥離用シート４２自体は特別の構成のものではなく、水分を透過しない材料で形成されている点以外は、広く使用されている剥離紙等が利用できる。この剥離用シート４２は、例えば、図４の矢印Ｂの方向に引っ張って剥がすことで、その下のバックシート２２の一部が、上述した破断案内部４４に沿って切り離され、切除部２２ａが剥離用シート４２側には貼りついた状態で、除去されることで、開口４１が形成される。つまり、剥離用シート４２には、予めバックシート２２の切除部２２ａに対応した部分が強固に接着されている。
【００４１】
また、バックシート２２の開口４１周縁部の剥離方向（矢印Ｂ方向）側の端部の領域の内面側には、透水シート４３と接着された接着部４５が設けられている。これにより、剥離用シート４２を図４に示すように剥離した場合に、切除部２２ａが切り離される際に、バックシート２２の接着部４５は、透水シート４３側に固定されているから、剥離用シート４２に引っ張られて、つれ破れして、開口４１の周縁が破断することがないようになっている。
【００４２】
さらに、このような効果を確実にするために、バックシート２２は、好ましくは、これを形成するためのプラスチックフィルムが、失禁パッド２０の長手方向，すなわち、図４の剥離方向Ｂと一致した方向に延伸された材料で形成されている。これにより、バックシート２２は、剥離方向Ｂの方向に方向性をもって破きやすくなり、剥離用シート４２に引っ張られて、つれ破れすることがないようになっている。尚、バックシート２２が二軸延伸フィルムにより形成される場合にも、剥離方向Ｂと一致した方向をより強く延伸した材料を使用することで、同様の効果を得られる。
【００４３】
本実施形態は以上のように構成されており、失禁パッド２０を単独で使用する場合には、開口形成手段４０の剥離用シート４２を剥がさないかぎり、通常の失禁パッドと同様の機能を備えているので、下着を尿失禁等で汚さないように使用したり、昼間、紙オムツ５０と合わせて使用し、オムツ交換の作業を軽減するように、そのまま使用することができる。
そして、特に、介護等の現場においては、図３で説明したように、紙オムツ５０の内側に、失禁パッド２０をさらに重ねて使用することで、被介護者の就寝後は、紙オムツ５０の吸収量に失禁パッド２０の吸収量が追加されるため、朝までオムツ５０を交換する必要がなく、被介護者の就寝を妨げず、介護者の負担を軽減できる。
【００４４】
具体的には、被介護者等の使用者が、就寝に際してオムツ５０を装着する場合に、オムツ５０だけでなく、図３に示すようにして、その内側に失禁パッド２０が重ねられて装着される。
この場合、図４で説明した剥離用シート４２を矢印Ｂ方向へ引っ張ることにより、失禁パッド２０のバックシート２２の外面に開口４１が露出し、この開口４１がオムツ５０の表面材５５に対向する状態で配置される。
【００４５】
就寝前に失禁パッド２０の開口４１を開いた状態で、オムツ５０に配置したものを使用することにより、朝までの尿の排泄量を上回る吸収量が確保され、夜間のオムツ交換に伴う負担を軽減できる。
【００４６】
このように、夜間使用時に多量の尿が排出されて、失禁パッド２０の吸収量を上回った場合、あるいは、尿の排出スピードがきわめて早い場合等においては、この排出された尿は、図３において、失禁パッド２０の表面材２５を介して、吸収体２４に吸収された後、吸収されない尿については、表面材２５よりも上の部分に滞留をほとんど生じることなく、多量の尿は、開口４１からオムツ５０の表面材５５を介して、その吸収体５３に吸い込まれる。
【００４７】
これにより、失禁パッド２０の表面材２５よりも上の部分に一時的に滞留した尿が脇の方向へ流れて、立体ギャザー２６，２６及び股ギャザー２７，２７を越えて、さらにオムツ５０を越え、使用者の股付近から漏れだすという事態を有効に防止することができる。
あるいは、失禁パッド２０の表面材２５よりも上の部分に一時的に滞留した尿が就寝中の寝た姿勢でいる使用者の背面にまわろうとても、本実施形態においては、図１において、失禁パッド２０の長手方向Ｌに関して、中央の領域，図示の場合には、中央よりもやや後ろに位置する箇所に、開口形成手段４０が設けられている。この開口形成手段４０は、上述のようにして開口４１が予め形成しているから、排尿された位置に対応して開口４１が用意されていることになり、尿は背面にまわる前に、失禁パッド２０の吸収体２４を透過して開口４１からオムツ５０に吸収されることになる。
【００４８】
また、この実施形態の失禁パッド２０は、上述のようにして開口形成手段４０を操作することで開口４１を形成しない場合、つまり、剥離用シート４２を剥がさない状態では、バックシート２２には、開口はなく、シールされているから、そのままの状態で、従来の失禁パッド２０と同様に、下着に取り付けることによる尿失禁の吸収や、昼間に、紙オムツと合わせて使用し、オムツ交換の作業を容易とするように使用をすることができる。
【００４９】
図５は、本発明の失禁パッドの第２の実施形態を示す平面図である。図において、第１の実施形態と同じ符号を付した箇所は共通する構成であるから、重複する説明は省略し、相違点を中心に説明する。
図において、失禁パッド６０は、第１の実施形態と比べると、開口形成手段６１の設けられる位置及び構成の一部のみが異なっている。
【００５０】
具体的には、開口形成手段６１は、この実施形態では、失禁パッド６０の股部に対応した位置に形成されている。つまり、開口形成手段６１は、失禁パッド６０の長手方向Ｌの中央部であって、この長手方向Ｌと直交する短手方向両端付近に対応してそれぞれ開口が形成されるようになっている。
この開口形成手段６１は、剥離用シート６２が大きく形成されており、剥離用シート６２を除き他の構成は、図４で説明した開口形成手段４０と同じ構造である。しかしながら、この共通した構造は、２つ設けられている。つまり、失禁パッド６０の左右の股ギャザー２７，２７の内側の位置にひとつずつ設けられており、図５に示すように、各開口４１−１，４１−２というように、２つ設けられている。各開口４１−１，４１−２の周辺の構造は、図４で説明したものと同じである。
【００５１】
これにより、剥離用シート６２を一枚剥がすだけで、バックシート２２に２つの開口４１−１，４１−２が露出するようになっており、しかも、失禁パッド６０の左右の股ギャザー２７，２７の内側の位置に各開口４１−１，４１−２がそれぞれ形成されるようになっている。
【００５２】
本実施形態は、以上のように構成されており、第１の実施形態と同じ作用効果を発揮することができる。また、これに加えて、失禁パッド６０の尿等がもれやすい股部に対応した位置に開口４１−１，４１−２を形成することができるので、失禁パッドに多く尿を吸収し、股部から漏れる直前に、開口４１−１，４１−２から、オムツ５０に尿が流れだすため、失禁パッド６０の吸収量を十分にいかすことができ、特に、失禁パッド６０の脇から尿等が漏れて、これが、オムツ５０の股部から漏れ出ることを、有効に防止することができる。
尚、剥離用シートは、各開口４１−１，４１−２毎にひとつずつ設けてもよいことは勿論である。
【００５３】
図６は、本発明の失禁パッドの第３の実施形態を示す概略断面である。図において、第１の実施形態と同じ符号を付した箇所は共通する構成であるから、重複する説明は省略し、相違点を中心に説明する。
図において、失禁パッド７０は、第１の実施形態と比べると、開口形成手段７１の構成が一部異なっている。
【００５４】
失禁パッド７０のバッシート２２には、第１の実施形態もしくは第２の実施形態と同様の位置に開口形成手段７１が設けられており、図６の場合は、第１の実施形態と同じ位置に設けた場合を図示している。
この場合、開口４１は、剥離用シート７２の内側にて、バックシート２２の対応箇所を除去することにより、予め形成されている。剥離用シート７２は、この開口４１よりも大きい面積を有して、この開口４１を覆っており、バックシートと同様の防水性を有する材料を使用している。そして、剥離用シート７２は、図示されているように、開口４１の周囲を完全に囲むようにした、防水性を有する接着剤で形成したシール部７３により接着されている。
【００５５】
これにより、本実施形態の失禁パッド７０も第１の実施形態と同様の作用効果を発揮する。しかも、失禁パッド７０を単体で使用する場合には、シール部７３が剥離用シート７２とバックシート２２との隙間を完全に密閉しているので、表面材２５側から吸収体２４に吸収された液体を外部に漏らすことがない。
【００５６】
図７は、本発明の失禁パッドの第４の実施形態を示す概略断面である。図において、第１の実施形態と同じ符号を付した箇所は共通する構成であるから、重複する説明は省略し、相違点を中心に説明する。
図において、失禁パッド８０は、第１の実施形態と比べると、開口形成手段８１の構成が一部異なっている。
【００５７】
図７に示されているように、失禁パッド８０の吸収体２４とバックシート２２との間には、ほぼ全面にわたって透水層を形成する透水シート８２が配置されている。そして、この実施形態では、バックシート２２外面，例えば、２２ｂで示す部分の一部または全部は、その内側の透水シート８２に対して、比較的容易に剥離できるように接着されることで、この部分８１が開口形成手段とされている。
詳しくは、開口形成手段８１は、バックシート２２の部分２２ｂは、透水シート８２に対して、部分２２ｂの剥離の際に、透水シート８２が実質的に破壊されない程度に、接着剥離強度を設定している。例えば、部分２２ｂの透水シート８２と接着される面に、図１で説明した剥離紙３１（一般的な剥離紙）と同様な剥離加工を施すようにしてもよい。これにより、透水シート８２は、部分２２ｂを剥離する際に、損なわれることがなく、しかも、透水シート８２に残った接着剤が、失禁パッド８０を図３のようにオムツ５０とともに使用された場合に、この失禁パッド８０がオムツ５０に対して位置ずれしなように機能することもできる。
さらに、部分２２ｂを所定の面積に区画して、その外周の一部を指かかりとしてもよい。
【００５８】
したがって、このバックシート２２ｂを剥がした部分が他の実施形態の開口とほぼ同様の作用を発揮するので、単純な構成ながら、他の実施形態とほぼ同様の作用効果を発揮することができる。
また、失禁パッド８０を単独で使用した場合においても、部分２２ｂが失禁パッド８０の周縁部と直接接着されていることにより、周縁部から尿が漏れることなく使用することができる。
【００５９】
本発明は、上述の実施形態に限定されるものではない。上述した各実施形態の個々の構成は、必要によりその一部を省略して、他の構成と組み合わせることができる。また、各実施形態の各構成は相互に組み合わせることができる。。
【図面の簡単な説明】
【００６０】
【図１】本発明の失禁パッドの第１の実施形態に係る失禁パッドのバックシート側から見た概略平面図。
【図２】図１の失禁パッドのＡ−Ａ線概略断面図。
【図３】図１の失禁パッドをオムツと組み合わせて使用する様子を示す説明図。
【図４】図１の失禁パッドの開口形成手段の構成を示す拡大概略斜視図。
【図５】本発明の失禁パッドの第２の実施形態に係る失禁パッドのバックシート側から見た概略平面図。
【図６】本発明の失禁パッドの第３の実施形態に係る失禁パッドの概略断面図。
【図７】本発明の失禁パッドの第４の実施形態に係る失禁パッドの概略断面図。
【図８】従来の失禁パッドの構成を示す概略断面図。
【符号の説明】
【００６１】
２０，６０，７０，８０・・・失禁パッド、２２・・・バックシート、２３・・・ティッシュ、２４・・・吸収体、２５・・・表面材、２６・・・立体ギャザー部、４０・・・開口形成手段、４１・・・開口、４２・・・剥離用シート
４４・・・破断案内部。
【図１】
2006297124.tif 000003
【図２】
2006297124.tif 000004
【図３】
2006297124.tif 000005
【図４】
2006297124.tif 000006
【図５】
2006297124.tif 000007
【図６】
2006297124.tif 000008
【図７】
2006297124.tif 000009
【図８】
2006297124.tif 000010
【手続補正書】
【提出日】平成18年6月22日(2006.6.22)
【手続補正１】
【補正対象書類名】特許請求の範囲
【補正対象項目名】全文
【補正方法】変更
【補正の内容】
【特許請求の範囲】
【請求項１】
全体が一方向に長い形状を有しており、
液体の透過を防止するバックシートと、
身体に接触する面側に配置される液体透過性の表面材と、
前記バックシートと前記表面材との間に配置されて前記表面材を透過した液体を吸収して保持する吸収体と
を有しており、
前記バックシートが、前記吸収体を露出する開口を形成するための開口形成手段を
を備え、
前記開口形成手段が、前記バックシートに接着される剥離用シートを有し、この剥離用シートの前記バックシートに対する接着箇所の一部が、前記バックシートの破断強度よりも強い接着強度を備える
ことを特徴とする失禁パッド。
【請求項２】
前記バックシートの前記開口に対応して破断の際に応力が集中しやすいように構成された破断案内部を備えることを特徴とする、請求項１に記載の失禁パッド。
【請求項３】
前記破断案内部が、バックシートに設けられ、破断する領域を区画するように設けた、ひとつもしくは複数の貫通しない孔で構成されていることを特徴とする、請求項２に記載の失禁パッド。
【請求項４】
前記バックシートの前記開口周縁部であって、少なくとも、前記剥離用シートが剥離される際の剥離方向端部が、前記吸収体または前記透水性カバー部材に接着されていることを特徴とする、請求項２に記載の失禁パッド。
【請求項５】
前記バックシートが前記剥離用シートの剥離方向に沿って延伸された材料もしくは、二軸延伸材料の場合には、剥離方向に沿った方向に強く延伸された材料により形成されていることを特徴とする、請求項１ないし４のいずれかに記載の失禁パッド。
【請求項６】
前記開口形成手段が、前記バックシートの長手方向に関して、ほぼ中央の領域に形成されていることを特徴とする、請求項１に記載の失禁パッド。
【請求項７】
前記開口形成手段が、前記バックシートの長手方向に関して、ほぼ中央の領域であって、吸収体の短手方向両端付近に開口が形成されるように設けられていることを特徴とする、請求項６に記載の失禁パッド。
【請求項８】
少なくとも前記開口形成手段が設けられる領域の前記バックシートと前記吸収体との間には、透水性カバー部材が配置されることを特徴とする、請求項１、請求項６、請求項７のいずれかに記載の失禁パッド。
【請求項９】
全体が一方向に長い形状を有しており、
液体の透過を防止するバックシートと、
身体に接触する面側に配置される液体透過性の表面材と、
前記バックシートと前記表面材との間に配置されて前記表面材を透過した液体を吸収して保持する吸収体と
を有しており、
前記バックシートが、前記吸収体を露出する開口を形成するための開口形成手段を
を備え、
かつ該バックシートと、前記吸収体の間には、ほぼ全面にわたって透水シートが配置されており、前記バックシートは、前記透水シートに対して、剥離可能に接着されることにより、当該剥離可能な部分が前記開口形成手段とされていて、
前記剥離可能部分の前記透水シートに対する接着強度が、剥離の際に前記透水シートを実質的に破壊しない程度の接着強度とされている
ことを特徴とする失禁パッド。
【請求項１０】
前記剥離後に前記透水シートに残る接着剤が、失禁パッドの外側に配置されるオムツ等に対して位置ずれしないように機能する仮固定部とされることを特徴とする請求項９に記載の失禁パッド。
【手続補正２】
【補正対象書類名】明細書
【補正対象項目名】全文
【補正方法】変更
【補正の内容】
【発明の詳細な説明】
【技術分野】
【０００１】
本発明は、たとえば使い捨てのオムツとともに、あるいは単独で使用され、尿などの体液を吸収保持するための失禁パッド（「尿とりパッド」を含む）に関するものである。
【背景技術】
【０００２】
例えば従来の失禁パッドは次のように構成されている。
一般に、失禁パッドは、尿漏れの心配がある使用者が、日常の生活，すなわち、ひるま起きて行動している時間帯や、夜の就寝中に下半身に装着して使用する。
このため、失禁パッドは、使用者が装着したときに外面となる箇所には、液体不透過性のシート材が適用され、その内側には尿等の液体を吸収するための吸収材が配置されている。
【０００３】
図８は、従来の失禁パッドを示している。この失禁パッド１は、主として、紙オムツや、下着の内側に介装されることで、使用者が装着した状態において、使用者の排泄器官を覆うことができるように、前後に長い形状になっている。
この失禁パッド１の外面となる箇所には、液体不透過性のバックシート２が用いられている。バックシート２の内側には、尿等の液体を吸収するための吸収体４が収容されている。吸収体４のさらに内側には、表面材５が配置されている。この表面材５は、液体を通過する材質で作られている。表面材５とバックシート２は、外周部では、重ねて配置されており、表面材５の内側には、２つの立体ギャザー部６，６が設けられている。立体ギャザー部６の外側には股ギャザー部７が設けられている。この立体ギャザー部６や股ギャザー部７は、失禁パッド１を使用者が装着した時に、使用者の股を包囲するようにして、尿等の液体が失禁パッド１の外部に流れないようにして、下着等を汚してしまうのを防止している。
【０００４】
このため、失禁パッド１は、図８において、前後に長い形状を有しており、立体ギャザー部６及び股ギャザー部７が、装着状態において、使用者の股下に位置し、一端部８が身体の後面側に位置して、臀部の下部領域を覆い、他端部９が身体の前面側に位置して、前側の排泄器官や生殖器周辺を覆うようになっている。そして、失禁パッド１の外面１２には、剥離紙１３を剥離すると露出するようにされたズレ防止用の接着部１１が形成されており、この接着部１１により、紙オムツや下着の内面に仮固定できるようになっている。
【０００５】
ところで、上述のような、失禁パッド１は、例えば、失禁等の対策として、上述したように、紙オムツや下着の内側に介装して、失禁パッド１単体で使用される他に、次のように使用される場合もある。
例えば、介護等の現場においては、特に、夜間に、紙オムツを装着して寝る被介護者のオムツを頻繁に交換することは、人手の制限や被介護者が就寝中であること等の理由で比較的困難である。このため、オムツ（図示せず）の内側に、上述した交換しやすい失禁パッド１をさらに重ねておき、被介護者の就寝後は、この失禁パッド１と紙オムツの吸収力により、オムツや失禁パッド１を朝まで交換することなく、使用することができる。ここで、このようなオムツの吸収力を補うための失禁パッドを特に尿とりパッドと呼ぶこともある。
【発明の開示】
【発明が解決しようとする課題】
【０００６】
しかしながら、このような介護の現場におけるオムツとの同時使用の際には、次のような問題がある。
上述のように、紙オムツの内側に失禁パッド１を装着して、被介護者が就寝後に排尿を行った場合に、排尿の量や回数が多いと、失禁パッド１の吸収量を超えてまい、あふれる場合がある。
【０００７】
すなわち、失禁パッド１は、紙オムツと比べると、小型に形成されており、吸収体の量も少なく、吸収できる容量がすくない。また、失禁パッド１は外側に防水性のバックート２を有するため、排出された尿が失禁パッド１の直下の紙オムツへ浸透せずに、立体ギャザー６や股ギャザー７の隙間を伝わって、脇から漏れてしまい、そのまま紙オムツの吸収部に尿が伝わらず、紙オムツの股部から脇のほうへ漏れてしまうという問題がある。
特に、昼間は頻繁に失禁パッド１を交換できるため、交換作業の軽減になることから、失禁パッド１を使用する価値があるが、夜間は交換が難しく、上述のような漏れも発生しやすかった。
【０００８】
そこで、本発明は、単体としても使用でき、オムツの内側で、オムツと同時に使用した場合に、吸収量を超えた排泄液体をオムツの吸収体に吸収させることで脇へ漏らしにくくして、オムツから漏れ出さないようにした、失禁パッドを提供することを目的としている。
【課題を解決するための手段】
【０００９】
上記目的は、請求項１の発明によれば、全体が一方向に長い形状を有しており、液体の透過を防止するバックシートと、身体に接触する面側に配置される液体透過性の表面材と、前記バックシートと前記表面材との間に配置されて前記表面材を透過した液体を吸収して保持する吸収体とを有しており、前記バックシートが、前記吸収体を露出する開口を形成するための開口形成手段を備え、前記開口形成手段が、前記バックシートに接着される剥離用シートを有し、この剥離用シートの前記バックシートに対する接着箇所の一部が、前記バックシートの破断強度よりも強い接着強度を備える失禁パッドにより、達成される。
【００１０】
請求項１の構成によれば、本発明の失禁パッドは、複数のシート状材料を積層固着して一方向に長い基本形状を有している。前記バックシートは液体の透過を防止する。前記表面材は身体に接触する面側に配置される液体透過性のものである。前記吸収体はバックシートと表面材の間に配置されて表面材を透過した液体を吸収して保持する。
この構成の特徴部分である開口形成手段は、液体不透過性のバックシートに対して、必要に応じて開口を形成することができるものである。すなわち、通常は、バックシートには開口は形成されておらず、使用者の必要に応じて、その操作に基づいて開口を形作る手段が設けられている。
これにより、失禁パッドを単体として使用する場合には、バックシートには開口が形成されておらず、尿等の体液が排出された場合には、その液体が失禁パッドの前記吸収体により保持され、バックシートから外部に出ることが阻止される。
【００１１】
一方、失禁パッドを紙オムツ等のオムツの内側に介装してオムツと共に使用する場合には、前記開口形成手段を操作して、バックシートに予め開口を形成しておく。これにより、例えば、多量の尿が排出されて、失禁パッドの吸収量を超えた場合においても、失禁パッドの吸収体で保持しきれなかった尿は、前記開口から、直下の紙オムツの表面材を透過して吸収される。これにより、失禁パッドに吸収しきれなった尿が、その脇から漏れ出ることが有効に防止される。
尚、本発明における「失禁パッド」は、請求項１の構成を備えていて、人体から排出される体液等を吸収することを用途とするあらゆる吸収性製品を指すものであり、名称の如何を問わない。例えば、本発明における「失禁パッド」は、軽失禁対策として、下着の内側等に仮固定して、使用される失禁パッドはもとより、紙オムツの内側に配置されて、あるいは、単独で使用されるパッドとしての尿とりパッド等も含むものである。
さらに、前記開口形成手段が剥離用シートとして形成されるか、もしくは剥離用シートを含んでいる場合には、この剥離用シートを剥がすだけで開口が形成されるので簡便である。
しかも、この剥離用シートのバックシートに対する接着箇所の一部が、前記バックシートの破断強度よりも強い接着強度を備えるようにしているので、剥離方向に沿って、剥離用シートを引っ張ると、バックシートとの接着箇所で、接着されたバックシートが破断されて、簡単に取り去ることができる。
【００１２】
【００１３】
【００１４】
【００１５】
【００１６】
【００１７】
【００１８】
請求項２の発明は、請求項１の構成において、前記バックシートの前記開口に対応して破断の際に応力が集中しやすいように構成された破断案内部を備えることを特徴とする。
請求項２の構成によれば、剥離用シートの前記開口に対応して応力が集中しやすいようにした破断案内部を設けることで、バックシートが容易に破け、残る部分に影響を残さず、剥離用シートを一層簡単に取り去ることができる。
【００１９】
請求項３の発明は、請求項２の構成において、前記破断案内部が、バックシートに設けられ、破断する領域を区画するように設けた、ひとつもしくは複数の貫通しない孔で構成されていることを特徴とする。
請求項３の構成によれば、前記破断案内部は、バックシートの破断する領域を区画するように設けた孔もしくは溝で形成することで、この孔に沿って、容易に破断される。
しかも、この破断案内部の孔もしくは溝は、バックシートを貫通していないので、失禁パッドを単体で使用する場合に、吸収体が吸収した液体が外に漏れることがない。
【００２０】
請求項４の発明は、請求項２の構成において、前記バックシートの前記開口周縁部であって、少なくとも、前記剥離用シートが剥離される際の剥離方向端部が、前記吸収体または前記透水性カバー部材に接着されていることを特徴とする。
請求項４の構成によれば、剥離用シートが剥離される際のバックシートの剥離方向端部が、前記吸収体または前記透水性カバー部材に接着されているので、剥離用シートを取り去るときに、剥離用シートに、破断案内部を越えて、ついていってしまう事を防ぎ、バックシートを破損することがない。
【００２１】
請求項５の発明は、請求項１ないし４のいずれかの構成において、前記バックシートが前記剥離用シートの剥離方向に沿って延伸された材料もしくは、二軸延伸材料の場合には、剥離方向に沿った方向に強く延伸された材料により形成されていることを特徴とする。
請求項５の構成によれば、前記バックシートが前記剥離用シートの剥離方向に沿って延伸された材料もしくは、二軸延伸材料の場合には、剥離方向に沿った方向に強く延伸された材料とすることで、剥離用シートを取り去るときに、つれ破りしにくくすることができる。
【００２２】
請求項６の発明は、請求項１の構成において、前記開口形成手段が、前記バックシートの長手方向に関して、ほぼ中央の領域に形成されていることを特徴とする。
請求項６の構成によれば、一方向に長い形態でなる失禁パッドにおいて、そのバックシートの長手方向に関して、ほぼ中央の領域に形成されていることにより、人体の尿等が排出される排出器官の近くに開口を形成することができるので、最も尿等が漏れやすい箇所に開口を設けることができる。
請求項７の発明は、請求項６の構成において、前記開口形成手段が、前記バックシートの長手方向に関して、ほぼ中央の領域であって、吸収体の短手方向両端付近に開口が形成されるように設けられていることを特徴とする。
請求項７の構成によれば、失禁パッドの尿等がもれやすい股部に対応した位置に開口を形成することができるので、失禁パッドに尿が吸収できなくなるまで吸収し、股部から漏れる直前に、開口からオムツ側に尿が流れるため、失禁パッドの吸収量を十分にいかすことができ、特に、失禁パッドの脇から尿等が漏れて、これが、オムツの股部から漏れ出ることを、有効に防止することができる。
請求項８の発明は、請求項１、請求項６、請求項７のいずれかの構成において、 少なくとも前記開口形成手段が設けられる領域の前記バックシートと前記吸収体との間には、透水性カバー部材が配置されることを特徴とする。
請求項８の構成によれば、前記開口形成手段が設けられる領域の前記バックシートと前記吸収体との間には、透水性カバー部材が配置されている。バックシートよりも内側の吸収体には、吸収性ポリマー等が慣用されており、前記開口を形成したことにともない、これらポリマー等の内部収容物が前記透水性カバー部材により遮蔽されて、開口から外に漏れることを防止することができる。
【００２３】
上記目的は、請求項９の発明によれば、全体が一方向に長い形状を有しており、液体の透過を防止するバックシートと、身体に接触する面側に配置される液体透過性の表面材と、前記バックシートと前記表面材との間に配置されて前記表面材を透過した液体を吸収して保持する吸収体とを有しており、前記バックシートが、前記吸収体を露出する開口を形成するための開口形成手段を備え、かつ該バックシートと、前記吸収体の間には、ほぼ全面にわたって透水シートが配置されており、前記バックシートは、前記透水シートに対して、剥離可能に接着されることにより、当該剥離可能な部分が前記開口形成手段とされていて、前記剥離可能部分の前記透水シートに対する接着強度が、剥離の際に前記透水シートを実質的に破壊しない程度の接着強度とされている失禁パッドにより、達成される。
また、第１０の発明は、第９の発明の構成において、前記剥離後に前記透水シートに残る接着剤が、失禁パッドの外側に配置されるオムツ等に対して位置ずれしないように機能する仮固定部とされることを特徴とする。
【発明の効果】
【００２４】
以上説明したように、本発明によれば、単体としても使用でき、オムツの内側で、オムツと同時に使用した場合に、吸収量を超えた排泄液体をオムツの吸収体に吸収させることで脇へ漏らしにくくして、オムツから漏れ出さないようにした、失禁パッドを提供することができる。
【発明の実施するための最良の形態】
【００２５】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２６】
図１及び図２は、本発明の第１の実施形態に係る失禁パッドを示しており、この失禁パッド２０は、立体的に表した場合には、図８で説明した失禁パッド１とほぼ同様の形態でなるものである。
図１は、失禁パッド２０の概略平面図、図２は、図１のＡ−Ａ線概略断面図である。
図１において、「前」と表示されている方が装着時に身体の前面側となる。また、図１は、失禁パッド２０の外側，すなわちバックシート側を手前にして描かれている。
【００２７】
図１及び図２において、失禁パッド２０は、バックシート２２、吸収体２４、表面材２５、左右の立体ギャザー部２６、左右の股ギャザー部２７を有している。左右の立体ギャザー部２６，２６は、図１においては紙面の背後に向かって直立しているので、表れない。
バックシート２２は、外側のシート材であり、液体の透過を防止する材質により作られている。バックシート２２の材質としては、たとえば薄いプラスチックフィルム、具体的には、ポリエチレンフィルムやポリエチレンラミネート紙等が使用できる。バックシート２２は液体は通さないが好ましくは水蒸気を透過させて蒸れを防止でき、ある程度可撓性を備えている材質を選択する。これにより失禁パッド２０の内側の内容物（汚物である固形物や尿、血液等）が外側に漏れ出ないようになっている。
【００２８】
吸収体２４は、バックシート２２と表面材２５の間に配置して収容されるものであり、ティシュや吸収保持層にて構成されており、液体等を吸収して保持するための部分である。
ティッシュは、液体等を吸収する柔らかい材質、たとえばパルプ（バージンパルプ、古紙再生パルプ）、レーヨン、コットン、ケナフ、バガス、シルク、親水処理をした繊維（ポリオレフィン系、ポリエステル、アクリル）などを単一又は複合してシート化したものを用いることができる。
吸収保持層は、表面材２５のセンター表面材２８を透過した液体成分を吸収して保持する役割を果たす。従って液体吸収性に優れる材質のものであれば使用することができ、このような吸収体２４の材質としては、たとえばパルプに吸収材であるポリマーを混合したりパルプにポリマーを散布したりして形成するパルプ吸収体もしくはポリマー等が好ましい。ここでパルプは、たとえば木材を機械的または化学的に処理して、抽出したセルロース繊維の集合体であり、これをシート状にしたものが用いられる。また、ここでは、吸収体２４を一枚のシートして構成しているが、ティッシュで吸収保持層を覆うように形成してもよく、複数の吸収体２４を積層してもよい。
【００２９】
表面材２５は、センター表面材２８と２つのサイド表面材２９，３０を有している。センター表面材２８は、吸収体２４やバックシート２２に対して長手方向Ｌ（図１参照）に沿って接着剤により固定される部分であり、センター表面材２８は直接使用者の肌に触れるものであるから、肌を必要以上に損なうことなく肌触りの良い点を考慮してこれに適した材料が選択される。センター表面材２８は内側のシートもしくはトップシート等とも呼んでおり、液体を透過させ特に速やかに液体成分が透過されるのに適した材質の繊維として、たとえば種々の天然繊維、合成繊維あるいはこれらの組み合わせから選択できる。たとえば合成繊維としては一例としてポリエステルやポリプロピレンのファイバーを素材として液体透過性をよくするように形成した繊維が好ましい。
【００３０】
サイド表面材２９，３０は、センター表面材２８の長手方向Ｌに沿って、センター表面材２８の両側に配置されている。センター表面材２８が液体を透過させることができるのに対して、サイド表面材２９，３０は液体の透過を防止する材質で作られている。例えば、センター表面材２８が不織布で作られる場合には、例えば、湿式不織布（紙、ティッシュ、ハイドロスパン（デクスター社）、ケミカルボンド（又はレジンボンド）、サーマルボンド（エンボス、アンビル、エアスルー）、エアレイド、スパンレース、スパンボンド、メルトブローン、ニードルパンチ、ステッチボンド、そしてスパンボンドとメルトブローン不織布を複合して作られたＳＭ不織布（スパンボンドとメルトブローンの積層体）、ＳＭＳ不織布（スパンボンドとメルトブローンとスパンボンドの積層体）等が採用できる。この中ではセンター表面材２８の材質としては、特にサーマルボンド、スパンボンド、スパンレースが好ましい。
また、サイド表面材２９，３０の材質としては、たとえばポリオレフィン系不織布あるいはポリエステル系不織布と薄いプラスチックフィルムとを組み合わせたもの、ポリエステル系不織布等とポリエチレンフィルム等を組み合わせたもの、ＳＭ不織布、ＳＭＳ不織布等が採用できる。
【００３１】
左右の立体ギャザー部２６，２６は、それぞれサイド表面材２９，３０の少なくとも長手方向の中央部に弾性体５５を配置することで形成されている。この立体ギャザー部２６は、図示例ではサイド表面材３０の少くとも長手方向Ｌの中央部に弾性体を配置することで形成されている。
この立体ギャザー部２６を形成するために、線状の弾性体５５がサイド表面材２９あるいはサイド表面材３０の少なくとも中央部分において長手方向Ｌに沿って収容されている。この弾性体５５の弾性収縮能力により、図２の矢印に示すように、サイド表面材２９，３０の少くとも中央部に立体ギャザー部２６が起立するようになっている。この立体ギャザー部２６を形成することにより、使用者の排泄物もしくは液体成分が失禁パッド２０の短手方向Ｔに沿って外側に漏れ出さないように使用者の身体に密着して阻止する。
股ギャザー部２７は、立体ギャザー部２６と協働して、失禁パッド２０の股にあたる短手方向両端部を弾性体５５の弾性力で引くことで、使用者の股へのフィット性を高め、使用者の排泄物もしくは液体成分が股部から漏れる事を防ぐ。
【００３２】
さらに、サイド表面材２９，３０の構造を、図２を利用して詳細に説明する。
図２において、サイド表面材２９とサイド表面材３０は、それぞれ立体ギャザー部２６を形成するための弾性体５５を収容している。この弾性体５５は、サイド表面材２９と３０の内端５４を折り曲げて袋状にすることにより収容している。内端５４はサイド表面材２９，３０に対して、例えば、ヒートシールを用いて一体的に固定している。弾性体５５はたとえば線状の弾性材料、具体的にはゴムやフィルム状とされたエラストマー等により作られていて、サイド表面材２９，３０の袋状部分の中に収容されている。
なお、バックシート、サイド表面材等の別部材の接触部は、例えば、基本的にホットメルトにより接着されているが図面の簡単化のために表示を省略している。
【００３３】
図１に示されているように、失禁パッド２０の長手方向の両端付近には、バックシート２２上にズレ防止用剥離紙３１，３２が貼られている。この各剥離紙３１，３２を剥がすと、下に接着剤を用いた仮固定部が露出し、各仮固定部は使用者の下着の内面に仮固定されることで、失禁パッド２０が位置ズレないようになっている。
【００３４】
さらに、本実施形態においては、図１において、失禁パッド２０の長手方向Ｌに関して、中央の領域，図示の場合には、中央よりもやや後ろに位置する箇所に、開口形成手段４０が設けられている。この開口形成手段４０を後述のように操作することで、その下に位置するバックシート２２に設けられて開口４１が露出するようになっている。
この開口形成手段４０については、さらに詳しく後述する。
【００３５】
図３は、失禁パッド２０をオムツに重ねて使用する様子を示す概略断面図である。この場合、オムツは、例えば紙オムツ５０が使用されている。
紙オムツ５０は、失禁パッド２０よりも大きいが、失禁パッド２０とほぼ同様の構成のものが利用できる。
すなわち、紙オムツ５０は、バックシート５２、吸収体５３、表面材５５、左右の立体ギャザー部５６，５６、左右の股ギャザー部５７，５７を有している。
そして、失禁パッド２０は、上述した開口形成手段４０により開口４１を露出させて、図示のように、開口４１をオムツ５０のセンター表面材５８と対向するようにして載置される。この場合、図１で説明した失禁パッド２０のズレ防止用剥離紙３１，３２を剥がして、オムツ５０の表面材２８に固定してもよい。
【００３６】
これにより、後述するように、使用者が排出した多量の尿等の排泄液体は、失禁パッド２０を介して、その吸収体２４を透過し、開口４１から、オムツ５０の吸収体５３に吸収されるようなっている。この点については、詳しく後で述べる。
【００３７】
図４は、開口形成手段４０の構成を説明するための拡大斜視図であり、図４と図２を参照しながら、開口形成手段４０について、詳しく説明する。
開口形成手段４０は、バックシート２２の外面に開口４１を形成するためのものであり、失禁パッド２０を単独で使用する場合には、閉じられている。
そして、図３で説明したように、失禁パッド２０が、オムツ５０に重ねて使用される場合には、開口４１を露出するようにされる。
【００３８】
具体的には、図４で示すように、開口４１に対応して、バックシート２２の開口４１を区画するように、破断案内部４４が形成されている。破断案内部４４は、開口形成手段４０が開口４１を形成しようとするときに、応力が集中する箇所である。つまり、この破断案内部４４は、バックシート２２の一部を切り取って開口４１を形成しやすくする手段であり、本実施形態では、開口４１にそって、孔が連続して形成されている。つまり、破断案内部４４は、例えば、図示のような楕円もしくは長円状に、ミシン目のように配置される多数の孔が形成されることで設けられている。ただし、この場合、図２に示されているように、連続する各孔は、ミシン目のように、バックシートを貫通せずに、孔の底がある状態とされている。したがって、この孔は、開口４１に沿って連続させるとひと続きの溝のような形態とされてもよい。つまり、この孔は、バックシートに形成され、バックシートを貫通しない孔もしくは溝のような形態である。これにより、失禁パッド２０を単独で使用して、開口４１を形成しない場合には、吸収体２４から、この孔を介して液体が外部に漏れで出ないようになっている。
【００３９】
また、開口４１の裏側に位置する箇所には、バックシート２２と吸収体２４との間に、透水性のカバー部材４３が、吸収体２４またはバックシート２２に接着されて配置されている。この透水性のカバー部材は、液体を透過するが、吸収体２４側から、例えば、吸収性ポリマー等が外部に出てくることを阻止するためのもので、このような機能を備えるものであればいかなる形態のものでもよく、特に開口４１周辺に限らず、バックシート２２と吸収体２４の間の全面に設けられていてもよい。透水性のカバー部材としては、この実施形態の場合、透水シート４３が使用されている。この透水シート４３としては、センター表面材と同様の材料を用いることができる。
【００４０】
さらに、開口形成手段４０は、バックシート２２の外側から、開口４１を覆うように貼られた剥離用シート４２を有している。剥離用シート４２自体は特別の構成のものではなく、水分を透過しない材料で形成されている点以外は、広く使用されている剥離紙等が利用できる。この剥離用シート４２は、例えば、図４の矢印Ｂの方向に引っ張って剥がすことで、その下のバックシート２２の一部が、上述した破断案内部４４に沿って切り離され、切除部２２ａが剥離用シート４２側には貼りついた状態で、除去されることで、開口４１が形成される。つまり、剥離用シート４２には、予めバックシート２２の切除部２２ａに対応した部分が強固に接着されている。
【００４１】
また、バックシート２２の開口４１周縁部の剥離方向（矢印Ｂ方向）側の端部の領域の内面側には、透水シート４３と接着された接着部４５が設けられている。これにより、剥離用シート４２を図４に示すように剥離した場合に、切除部２２ａが切り離される際に、バックシート２２の接着部４５は、透水シート４３側に固定されているから、剥離用シート４２に引っ張られて、つれ破れして、開口４１の周縁が破断することがないようになっている。
【００４２】
さらに、このような効果を確実にするために、バックシート２２は、好ましくは、これを形成するためのプラスチックフィルムが、失禁パッド２０の長手方向，すなわち、図４の剥離方向Ｂと一致した方向に延伸された材料で形成されている。これにより、バックシート２２は、剥離方向Ｂの方向に方向性をもって破きやすくなり、剥離用シート４２に引っ張られて、つれ破れすることがないようになっている。尚、バックシート２２が二軸延伸フィルムにより形成される場合にも、剥離方向Ｂと一致した方向をより強く延伸した材料を使用することで、同様の効果を得られる。
【００４３】
本実施形態は以上のように構成されており、失禁パッド２０を単独で使用する場合には、開口形成手段４０の剥離用シート４２を剥がさないかぎり、通常の失禁パッドと同様の機能を備えているので、下着を尿失禁等で汚さないように使用したり、昼間、紙オムツ５０と合わせて使用し、オムツ交換の作業を軽減するように、そのまま使用することができる。
そして、特に、介護等の現場においては、図３で説明したように、紙オムツ５０の内側に、失禁パッド２０をさらに重ねて使用することで、被介護者の就寝後は、紙オムツ５０の吸収量に失禁パッド２０の吸収量が追加されるため、朝までオムツ５０を交換する必要がなく、被介護者の就寝を妨げず、介護者の負担を軽減できる。
【００４４】
具体的には、被介護者等の使用者が、就寝に際してオムツ５０を装着する場合に、オムツ５０だけでなく、図３に示すようにして、その内側に失禁パッド２０が重ねられて装着される。
この場合、図４で説明した剥離用シート４２を矢印Ｂ方向へ引っ張ることにより、失禁パッド２０のバックシート２２の外面に開口４１が露出し、この開口４１がオムツ５０の表面材５５に対向する状態で配置される。
【００４５】
就寝前に失禁パッド２０の開口４１を開いた状態で、オムツ５０に配置したものを使用することにより、朝までの尿の排泄量を上回る吸収量が確保され、夜間のオムツ交換に伴う負担を軽減できる。
【００４６】
このように、夜間使用時に多量の尿が排出されて、失禁パッド２０の吸収量を上回った場合、あるいは、尿の排出スピードがきわめて早い場合等においては、この排出された尿は、図３において、失禁パッド２０の表面材２５を介して、吸収体２４に吸収された後、吸収されない尿については、表面材２５よりも上の部分に滞留をほとんど生じることなく、多量の尿は、開口４１からオムツ５０の表面材５５を介して、その吸収体５３に吸い込まれる。
【００４７】
これにより、失禁パッド２０の表面材２５よりも上の部分に一時的に滞留した尿が脇の方向へ流れて、立体ギャザー２６，２６及び股ギャザー２７，２７を越えて、さらにオムツ５０を越え、使用者の股付近から漏れだすという事態を有効に防止することができる。  あるいは、失禁パッド２０の表面材２５よりも上の部分に一時的に滞留した尿が就寝中
の寝た姿勢でいる使用者の背面にまわろうとても、本実施形態においては、図１において、失禁パッド２０の長手方向Ｌに関して、中央の領域，図示の場合には、中央よりもやや後ろに位置する箇所に、開口形成手段４０が設けられている。この開口形成手段４０は、上述のようにして開口４１が予め形成しているから、排尿された位置に対応して開口４１が用意されていることになり、尿は背面にまわる前に、失禁パッド２０の吸収体２４を透過して開口４１からオムツ５０に吸収されることになる。
【００４８】
また、この実施形態の失禁パッド２０は、上述のようにして開口形成手段４０を操作することで開口４１を形成しない場合、つまり、剥離用シート４２を剥がさない状態では、バックシート２２には、開口はなく、シールされているから、そのままの状態で、従来の失禁パッド２０と同様に、下着に取り付けることによる尿失禁の吸収や、昼間に、紙オムツと合わせて使用し、オムツ交換の作業を容易とするように使用をすることができる。
【００４９】
図５は、本発明の失禁パッドの第２の実施形態を示す平面図である。図において、第１の実施形態と同じ符号を付した箇所は共通する構成であるから、重複する説明は省略し、相違点を中心に説明する。
図において、失禁パッド６０は、第１の実施形態と比べると、開口形成手段６１の設けられる位置及び構成の一部のみが異なっている。
【００５０】
具体的には、開口形成手段６１は、この実施形態では、失禁パッド６０の股部に対応した位置に形成されている。つまり、開口形成手段６１は、失禁パッド６０の長手方向Ｌの中央部であって、この長手方向Ｌと直交する短手方向両端付近に対応してそれぞれ開口が形成されるようになっている。
この開口形成手段６１は、剥離用シート６２が大きく形成されており、剥離用シート６２を除き他の構成は、図４で説明した開口形成手段４０と同じ構造である。しかしながら、この共通した構造は、２つ設けられている。つまり、失禁パッド６０の左右の股ギャザー２７，２７の内側の位置にひとつずつ設けられており、図５に示すように、各開口４１−１，４１−２というように、２つ設けられている。各開口４１−１，４１−２の周辺の構造は、図４で説明したものと同じである。
【００５１】
これにより、剥離用シート６２を一枚剥がすだけで、バックシート２２に２つの開口４１−１，４１−２が露出するようになっており、しかも、失禁パッド６０の左右の股ギャザー２７，２７の内側の位置に各開口４１−１，４１−２がそれぞれ形成されるようになっている。
【００５２】
本実施形態は、以上のように構成されており、第１の実施形態と同じ作用効果を発揮することができる。また、これに加えて、失禁パッド６０の尿等がもれやすい股部に対応した位置に開口４１−１，４１−２を形成することができるので、失禁パッドに多く尿を吸収し、股部から漏れる直前に、開口４１−１，４１−２から、オムツ５０に尿が流れだすため、失禁パッド６０の吸収量を十分にいかすことができ、特に、失禁パッド６０の脇から尿等が漏れて、これが、オムツ５０の股部から漏れ出ることを、有効に防止することができる。
尚、剥離用シートは、各開口４１−１，４１−２毎にひとつずつ設けてもよいことは勿論である。
【００５３】
図６は、本発明の失禁パッドの第３の実施形態を示す概略断面である。図において、第１の実施形態と同じ符号を付した箇所は共通する構成であるから、重複する説明は省略し、相違点を中心に説明する。
図において、失禁パッド７０は、第１の実施形態と比べると、開口形成手段７１の構成が一部異なっている。
【００５４】
失禁パッド７０のバッシート２２には、第１の実施形態もしくは第２の実施形態と同様の位置に開口形成手段７１が設けられており、図６の場合は、第１の実施形態と同じ位置に設けた場合を図示している。
この場合、開口４１は、剥離用シート７２の内側にて、バックシート２２の対応箇所を除去することにより、予め形成されている。剥離用シート７２は、この開口４１よりも大きい面積を有して、この開口４１を覆っており、バックシートと同様の防水性を有する材料を使用している。そして、剥離用シート７２は、図示されているように、開口４１の周囲を完全に囲むようにした、防水性を有する接着剤で形成したシール部７３により接着されている。
【００５５】
これにより、本実施形態の失禁パッド７０も第１の実施形態と同様の作用効果を発揮する。しかも、失禁パッド７０を単体で使用する場合には、シール部７３が剥離用シート７２とバックシート２２との隙間を完全に密閉しているので、表面材２５側から吸収体２４に吸収された液体を外部に漏らすことがない。
【００５６】
図７は、本発明の失禁パッドの第４の実施形態を示す概略断面である。図において、第１の実施形態と同じ符号を付した箇所は共通する構成であるから、重複する説明は省略し、相違点を中心に説明する。
図において、失禁パッド８０は、第１の実施形態と比べると、開口形成手段８１の構成が一部異なっている。
【００５７】
図７に示されているように、失禁パッド８０の吸収体２４とバックシート２２との間には、ほぼ全面にわたって透水層を形成する透水シート８２が配置されている。そして、この実施形態では、バックシート２２外面，例えば、２２ｂで示す部分の一部または全部は、その内側の透水シート８２に対して、比較的容易に剥離できるように接着されることで、この部分８１が開口形成手段とされている。
詳しくは、開口形成手段８１は、バックシート２２の部分２２ｂは、透水シート８２に対して、部分２２ｂの剥離の際に、透水シート８２が実質的に破壊されない程度に、接着剥離強度を設定している。例えば、部分２２ｂの透水シート８２と接着される面に、図１で説明した剥離紙３１（一般的な剥離紙）と同様な剥離加工を施すようにしてもよい。これにより、透水シート８２は、部分２２ｂを剥離する際に、損なわれることがなく、しかも、透水シート８２に残った接着剤が、失禁パッド８０を図３のようにオムツ５０とともに使用された場合に、この失禁パッド８０がオムツ５０に対して位置ずれしないように機能することもできる。
さらに、部分２２ｂを所定の面積に区画して、その外周の一部を指かかりとしてもよい。
【００５８】
したがって、このバックシート２２ｂを剥がした部分が他の実施形態の開口とほぼ同様の作用を発揮するので、単純な構成ながら、他の実施形態とほぼ同様の作用効果を発揮することができる。
また、失禁パッド８０を単独で使用した場合においても、部分２２ｂが失禁パッド８０の周縁部と直接接着されていることにより、周縁部から尿が漏れることなく使用することができる。
【００５９】
本発明は、上述の実施形態に限定されるものではない。上述した各実施形態の個々の構成は、必要によりその一部を省略して、他の構成と組み合わせることができる。また、各実施形態の各構成は相互に組み合わせることができる。
【図面の簡単な説明】
【００６０】
【図１】本発明の失禁パッドの第１の実施形態に係る失禁パッドのバックシート側から見た概略平面図。
【図２】図１の失禁パッドのＡ−Ａ線概略断面図。
【図３】図１の失禁パッドをオムツと組み合わせて使用する様子を示す説明図。
【図４】図１の失禁パッドの開口形成手段の構成を示す拡大概略斜視図。
【図５】本発明の失禁パッドの第２の実施形態に係る失禁パッドのバックシート側から見た概略平面図。
【図６】本発明の失禁パッドの第３の実施形態に係る失禁パッドの概略断面図。
【図７】本発明の失禁パッドの第４の実施形態に係る失禁パッドの概略断面図。
【図８】従来の失禁パッドの構成を示す概略断面図。
【符号の説明】
【００６１】
２０，６０，７０，８０・・・失禁パッド、２２・・・バックシート、２３・・・ティッシュ、２４・・・吸収体、２５・・・表面材、２６・・・立体ギャザー部、４０・・・開口形成手段、４１・・・開口、４２・・・剥離用シート
４４・・・破断案内部